(57)【要約】【課題】表示部材の表示面とは異なる面に配置されたタッチ操作部材に対し、当該タッチ操作部材に対する誤操作を低減することが可能な電子機器を提供する。【解決手段】本実施形態に係る電子機器は、表示手段と、表示手段の表示面側への物体の近接を検知する近接検知手段と、表示手段の表示面側とは異なる面に配置された特定の操作手段と、近接検知手段で所定条件を満たす物体の近接を検知している場合に特定の操作手段へ操作が行われたことに応じて特定の処理を行い、近接検知手段で所定条件を満たす物体の近接を検知していない場合には特定の操作手段への操作が行われても特定の処理を行わないように制御する制御手段とを有する。【選択図】図３
2019016299.tif 000002
【特許請求の範囲】
【請求項１】
表示手段と、
前記表示手段の表示面側への物体の近接を検知する近接検知手段と、
前記表示手段の表示面側とは異なる面に配置された特定の操作手段と、
前記近接検知手段で所定条件を満たす物体の近接を検知している場合に前記特定の操作手段へ操作が行われたことに応じて特定の処理を行い、前記近接検知手段で前記所定条件を満たす物体の近接を検知していない場合には前記特定の操作手段への操作が行われても前記特定の処理を行わないように制御する制御手段と
を有することを特徴とする電子機器。
【請求項２】
前記制御手段は、前記近接検知手段で前記所定条件を満たす物体の近接を検知していない場合には前記特定の操作手段への操作を無効とするように制御することを特徴とする請求項１に記載の電子機器。
【請求項３】
前記表示手段は、接眼ファインダーを介して視認可能な表示手段であり、
前記近接検知手段は、前記接眼ファインダーへの接眼を検知するためのものであることを特徴とする請求項１または２に記載の電子機器。
【請求項４】
電子機器であって、
表示手段と、
前記表示手段の表示面側とは異なる面に配置された特定の操作手段と、
当該電子機器の電源が入った駆動状態であり、かつ、前記表示手段が表示状態である場合に前記特定の操作手段へ操作が行われたことに応じて特定の処理を行い、当該電子機器の電源が入った駆動状態であり、かつ、前記表示手段が非表示状態である場合には前記特定の操作手段への操作が行われても前記特定の処理を行わないように制御する制御手段と
を有することを特徴とする電子機器。
【請求項５】
前記表示手段を表示するか非表示とするかを切り替える指示をユーザから受け付ける受付手段を更に有することを特徴とする請求項４に記載の電子機器。
【請求項６】
前記特定の操作手段は、前記表示面が配置された面の裏側の面に配置されていることを特徴とする請求項１乃至５のいずれか１項に記載の電子機器。
【請求項７】
撮像手段を更に有し、
前記表示手段は前記撮像手段で撮像されたライブビュー画像を表示可能な電子ビューファインダー、または、被写体の光学像を視認可能な光学ファインダー内に配置された情報表示のための表示手段であることを特徴とする請求項１乃至６のいずれか１項に記載の電子機器。
【請求項８】
前記特定の操作手段は、被写体側に配置されていることを特徴とする請求項７に記載の電子機器。
【請求項９】
前記制御手段は、撮影モードにおいて前記特定の操作手段に対する操作に応じた処理の実行を制限し、再生モードにおいては前記表示手段の表示面側への物体の近接の有無あるいは前記表示手段の表示状態に関わらず前記特定の操作手段に対する操作に応じた処理を行うように制御することを特徴とする請求項７または８に記載の電子機器。
【請求項１０】
前記特定の操作手段はタッチ操作を検知可能なタッチセンサであることを特徴とする請求項１乃至９のいずれか１項に記載された電子機器。
【請求項１１】
前記制御手段は、前記特定の処理が行われると、前記表示手段において前記特定の処理に応じた表示を行うように制御することを特徴とする請求項１乃至１０のいずれか1項に記載の電子機器。
【請求項１２】
前記電子機器を把持するためのグリップ部を更に有し、
前記特定の操作手段は前記グリップ部を把持する手の指で操作可能な位置に配置されていることを特徴とする請求項１乃至１１のいずれか１項に記載の電子機器。
【請求項１３】
前記特定の処理は、シャッター速度、絞り、ＩＳＯ感度及び露出補正の少なくともいずれかの撮影条件を、前記特定の操作手段による操作に応じて変更することを含むことを特徴とする請求項１乃至１２のいずれか１項に記載の電子機器。
【請求項１４】
前記表示手段の表示面の上層に取り付けられ、タッチ操作の可能なタッチ操作手段を更に有し、
前記制御手段は、前記近接検知手段で前記所定条件を満たす物体の近接を検知している場合には、前記タッチ操作手段への操作を無効にすることを特徴とする請求項１乃至３のいずれか１項に記載の電子機器。
【請求項１５】
表示手段と、前記表示手段の表示面側への物体の近接を検知する近接検知手段と、前記表示手段の表示面側とは異なる面に配置された特定の操作手段と、を有する電子機器の制御方法であって、
制御手段が、前記近接検知手段で所定条件を満たす物体の近接を検知している場合に前記特定の操作手段へ操作が行われたことに応じて特定の処理を行い、前記近接検知手段で前記所定条件を満たす物体の近接を検知していない場合には前記特定の操作手段への操作が行われても前記特定の処理を行わないように制御する制御工程
を有することを特徴とする電子機器の制御方法。
【請求項１６】
表示手段と、前記表示手段の表示面側とは異なる面に配置された特定の操作手段と、を有する電子機器の制御方法であって、
制御手段が、当該電子機器の電源が入った駆動状態であり、かつ、前記表示手段が表示状態である場合に前記特定の操作手段へ操作が行われたことに応じて特定の処理を行い、当該電子機器の電源が入った駆動状態であり、かつ、前記表示手段が非表示状態である場合には前記特定の操作手段への操作が行われても前記特定の処理を行わないように制御する制御工程
を有することを特徴とする電子機器の制御方法。
【請求項１７】
コンピュータを、請求項１乃至１４のいずれか１項に記載された電子機器の各手段として機能させるためのプログラム。
【請求項１８】
コンピュータを、請求項１乃至１４のいずれか１項に記載された電子機器の各手段として機能させるためのプログラムを格納したコンピュータが読み取り可能な記憶媒体。
【発明の詳細な説明】
【技術分野】
【０００１】
本発明は、異なる面に配置された操作部材を有する電子機器、その制御方法、プログラム並びに記憶媒体に関する。
【背景技術】
【０００２】
従来、背面側に設けた大型の表示部材に高精細な撮影画像を表示して、詳細な撮影画像を確認可能なカメラが知られている。また、このようなカメラの背面の表示部材にタッチパネル等の機能を重畳して、扱いやすいＵＩを提供するものもある。
【０００３】
カメラ背面に設置された表示部材は、晴天時の太陽光下では、表示が暗くて見づらいといった課題があり、従来のファインダーを用いた撮影を望むユーザも少なくない。このようなニーズや小型の表示部材の高精細化により、ファインダーに小型の表示部材を入れたカメラも増加しつつある。このようなカメラは、カメラ背面の大型ディスプレイ表示とファインダー内表示とを備えており、ユーザはこれらの表示部材を用途に応じて使い分けることになる。
【０００４】
ファインダー内表示を視認しながら操作を行う場合、機器に顔を近づけるために背面側の表示部材に設けられたタッチパネルを指で操作することが難しい。また、機器に顔を近接させた場合には、機器に近づいた顔や鼻がタッチパネルに接触して誤操作が生じてしまう場合がある。
【０００５】
機器に近づいた際の操作課題に対し、特許文献１は、機器の前面及び背面に設けた操作部と、左右の側面への指の接触を検知する部材とを備えた携帯電話機において、両側面で接触を検知した場合に前面の操作部へのタッチ操作を可能にする技術を開示している。また、特許文献２は、前面及び背面に操作部を備えたカメラにおいて、前面の操作部に対する操作位置が見えないことによる誤操作を防止するための警告を表示する技術を開示している。
【先行技術文献】
【特許文献】
【０００６】
【特許文献１】特開２０１５−１８８１３７号公報
【特許文献２】特開２０１３−２３８７８３号公報
【発明の概要】
【発明が解決しようとする課題】
【０００７】
上述した特許文献１に記載された技術は、携帯電話機のようにユーザの保持する箇所と操作箇所が明確に区別可能な機器に対しては有効である。しかしながら、カメラのようにグリップ部を設け、且つ機器の異なる面にタッチ操作可能な操作部材を設けた機器では、保持と操作位置の区別がつき難く、タッチ操作を適切に制御できない場合がある。
【０００８】
具体的に、図１０（ａ）及び（ｂ）を参照して、ブリップ部と、前面及び背面に操作部とを有するカメラの従来例について説明する。１０００はカメラ本体であり、カメラは、撮影用のレンズ１００２と、ユーザが撮影の際に覗き込むファインダー１００３を有している。１００４は背面の表示部材であり、タッチ操作によるユーザ指示を受け付けるタッチパネル１００５を備える。ライブビュー撮影など撮影内容を背面の表示部材１００４に表示させる場合、ユーザは背面の表示部材１００４に表示された画像を見ながら撮影を行う。
【０００９】
ユーザは、右手中指、薬指、小指によって右手用のグリップ１００６を把持し、所望のタイミングで撮影動作に入るようにレリーズ釦１００７を押下する。このとき、保持用部材１００８により親指付け根でのホールドが向上する。撮影時に絞りを調節する際には、撮影レンズ１００２に配置された絞り込み釦１００９が操作される。例えばカメラ前面には、左手用タッチパネル１０１３及び右手用タッチパネル１０１４が配置され、ユーザがカメラを保持したまま、それぞれ人差し指や中指でタッチ操作を行う。
【００１０】
図１１Ａ（ａ）は、撮影された画像を表示部材１００４に表示させながら撮影（すなわちライブビュー撮影）を行う様子を示している。ライブビュー撮影では、ユーザは、グリップ１００６を把持してカメラ前面側を使ってホールドするとともに、親指の付け根の部分を保持用部材１００８に引っかけている。このとき、ユーザは、親指を使ってタッチパネル１００５に対するタッチ操作（撮影位置の指示やメニュー設定など）を行うことができる。一方、ユーザがファインダー１００３を覗きながら撮影を行う場合、図１１Ａ（ｂ）に示すように、ユーザの両手の親指はカメラを保持し、親指以外の例えば人差し指が操作に用いられる。この状態を別の角度から見ると、図１１Ｂ（ａ）及び（ｂ）のようになる。ファインダー１００３を覗きながら撮影する場合、右手人差し指でレリーズ釦１００７を操作（図１１Ｂ（ａ））したり、絞り込み釦１００９を操作したりする（図１１Ｂ（ｂ））。更に、ユーザは図１１Ｂ（ａ）や図１１Ｂ（ｂ）に示す操作を行う際には、左手でレンズ１００２を支えて、右手で保持しているカメラが回転しないように補助的にカメラを保持する場合がある（図１１Ｃ（ａ））。これに対し、ユーザは、同様の接触態様でレンズ１００２に設けられたフォーカス状態を変更する部材やズーム状態を変更する部材を操作する場合もある。
【００１１】
このように、撮影状態に応じて操作対象の操作部材が変化するとともに保持する箇所と操作箇所の区別がつき難い。すなわち、図１１Ａ（ａ）に示した撮影中には、主に表示部材１００４側にある操作部材が用いられるが、このとき被写体側のタッチパネルが操作を受け付け可能であると、保持する指によって意図せず誤動作が生じる可能性がある。また、グリップ１００６のように片手側に主となる保持用部材を設けると、反対の手は補助的な保持動作となり、図１１Ｃ（ａ）の様に、左手は撮影状態に応じて保持位置或いは操作箇所が変わり得る。このように、撮影状態に応じた保持或いは操作の態様が多様でありその区別が難しい。
【００１２】
特許文献２の技術は、背面に設けられた表示部を見ながら操作する場合には、警告表示を視認することが可能である。しかしながら、ユーザがカメラを持って歩く場合など画面を視認していない場合には、警告表示は機能しない。カメラの前面のタッチパネルに対する操作が有効である場合、例えば、図１１Ｃ（ｂ）のように、撮影の合間にユーザがカメラを降ろして右手の親指以外の指でグリップを保持すれば、当該カメラ前面のタッチパネルを誤操作する場合がある。
【００１３】
そこで、本発明の目的は、表示部材の表示面とは異なる面に配置されたタッチ操作部材に対し、当該タッチ操作部材に対する誤操作を低減する技術を提供することである。
【課題を解決するための手段】
【００１４】
この課題を解決するため、例えば本発明の電子機器は以下の構成を備える。すなわち、表示手段と、表示手段の表示面側への物体の近接を検知する近接検知手段と、表示手段の表示面側とは異なる面に配置された特定の操作手段と、近接検知手段で所定条件を満たす物体の近接を検知している場合に特定の操作手段へ操作が行われたことに応じて特定の処理を行い、近接検知手段で所定条件を満たす物体の近接を検知していない場合には特定の操作手段への操作が行われても特定の処理を行わないように制御する制御手段とを有することを特徴とする。
【発明の効果】
【００１５】
本発明によれば、表示部材の表示面とは異なる面に配置されたタッチ操作部材に対し、当該タッチ操作部材に対する誤操作を低減することが可能になる。
【図面の簡単な説明】
【００１６】
【図１】実施形態１に係る電子機器の一例であるデジタルカメラの外観構成例を示す図
【図２】実施形態１に係るデジタルカメラの機能構成例を示すブロック図
【図３】実施形態１に係る入力操作制御処理の一連の動作を示すフローチャート
【図４】実施形態２に係る入力操作制御処理の一連の動作を示すフローチャート
【図５】実施形態３に係るデジタルカメラの外観構成例を示す図
【図６】実施形態３に係るデジタルカメラの機能構成例を示すブロック図
【図７】実施形態３に係る入力操作制御処理の一連の動作を示すフローチャート
【図８】実施形態４に係るデジタルカメラの外観構成例を示す図
【図９】実施形態４に係る入力操作制御処理の一連の動作を示すフローチャート
【図１０】、
【図１１Ａ】、
【図１１Ｂ】、
【図１１Ｃ】従来の電子機器に対する操作態様を説明する図
【発明を実施するための形態】
【００１７】
（実施形態１）
以下、本発明の例示的な実施形態について、図面を参照して詳細に説明する。
【００１８】
（デジタルカメラ１００の外観構成）
図１（ａ）〜（ｃ）を参照して、本実施形態の電子機器の一例としてデジタルカメラ１００の外観構成例について説明する。図１（ａ）〜（ｃ）は、それぞれ、カメラ前面、カメラ背面、カメラ上面を示す外観図である。なお、本実施形態では、「前面」を、デジタルカメラ１００の撮影レンズ１０２が配置される側、すなわち被写体側、或いは撮影するユーザからみて裏側の面をいう。また、「背面」を、デジタルカメラ１００を操作するユーザがいる側とし、デジタルカメラ１００のファインダー１０３及び背面モニタ１０４の表示面が配置される側をいう。
【００１９】
撮影レンズ１０２は、撮影光学系であり、ズームレンズ、フォーカスレンズ等のレンズ群を含み、被写体からの被写体光学像を後述する撮像部２０４に含まれる撮像素子に導く。また、撮影レンズ１０２はズーム位置やピント位置を変更するための操作部材を含む。
【００２０】
ファインダー１０３は、接眼ファインダーであり、例えば、撮影レンズ１０２の撮影光学系を介して撮像部２０４の撮像素子に結像されデジタル信号として生成された画像データを、ファインダー１０３内の表示デバイスに表示させる。例えば、撮像された画像データであるライブビュー画像やデジタルカメラ１００を操作するためのメニュー画面を表示可能な電子ビューファインダーを構成し、ユーザはファインダー１０３を覗き込むことによりライブビュー表示や情報表示を視認する。ファインダー１０３は、ミラー光学系、ペンタプリズム光学系を介して被写体光学像を視認可能な光学ファインダー内に、情報表示用の上記表示デバイスを備えても良い。
【００２１】
背面モニタ１０４は、画像や各種情報を表示する、カメラ背面に設けられた表示部である。背面モニタ１０４は、表示部の全面（すなわち背面モニタ１０４と略同一面積状の上面）にタッチパネル１０５を備え、表示部に表示させたメニュー画面に対するユーザからのタッチ操作を受け付けることができる。ライブビュー撮影など背面モニタ１０４に撮影内容を表示して撮影する場合、ユーザは背面モニタ１０４に表示された画像を確認しながら撮影することができる。
【００２２】
タッチパネル１０５は、タッチセンサを含み、ユーザは、接触操作により背面モニタ１０４に表示された画像上でオートフォーカスを合わせる位置を指示したり、表示されたメニュー上で所定の操作を指示したりすることができる。なお、所定の操作には、例えば絞り値、シャッター速度、ＩＳＯ感度、露出補正などの撮影条件を設定或いは変更する操作が含まれる。タッチパネルの詳細については後述する。
【００２３】
右手用グリップ１０６は、ユーザがカメラを把持し易いように膨らんだ保持用部材であり、ユーザの右手中指、薬指、小指によって保持される。１０７はレリーズ釦であり、撮影動作に入るようにユーザがカメラに指示するための操作部材である。１０８は、親指付け根でのホールドをよくするための引っかかり形状をした保持用部材である。１０９は絞り込み釦であり、絞り２０３を調節する際などに用いられる。左手用タッチパネル１１３及び右手用タッチパネル１１４は、それぞれ、背面モニタ１０４の表示面と異なる面（例えばカメラ前面）に配置される。これらの操作部材は、ユーザがカメラを保持したまま、それぞれ人差し指や中指で操作することを想定して配置されている。左手用タッチパネル１０１３及び右手用タッチパネル１０１４は、タッチパネル１０５と同様のタッチ操作を感知することができる。タッチパネルの詳細は後述する。図１（ａ）及び（ｃ）に示す右手用タッチパネル１１４は、一部が湾曲して右手用グリップ１０６にまで及ぶ構成を示しているが、平坦な構成として平面部分の範囲のみに配置される構成としてもよいし、右手用グリップ１０６を覆うように配置されてもよい。
【００２４】
（デジタルカメラ１００の構成）
次に、図２を参照して、本実施形態に係るデジタルカメラ１００の構成について説明する。ファインダー１０３は、内部に、例えば有機ＥＬ型や液晶型等によって構成される表示デバイスを備える。背面モニタ１０４は、カメラ背面に設けられた表示装置であり、例えば有機ＥＬや液晶型等によって構成される。ファインダー１０３及び背面モニタ１０４は、制御部２０１の指示に応じて、撮像された画像やデジタルカメラ１００を操作するためのメニュー画面等を表示する。背面タッチパネル１０５は、背面モニタ１０４に対する接触を検知可能な操作部材の１つである。背面タッチパネル１０５と背面モニタ１０４とは一体的に構成することができる。例えば、背面タッチパネル１０５を光の透過率が背面モニタ１０４の表示を妨げないように構成し、背面モニタ１０４の表示面の上層に取り付ける。そして、背面タッチパネル１０５における入力座標と、背面モニタ１０４上の表示座標とを対応付ける。これにより、恰もユーザが背面モニタ１０４上に表示された画面を直接的に操作可能であるかのようなＧＵＩ（グラフィカルユーザーインターフェース）を構成することができる。制御部２０１は背面タッチパネル１０５への以下の操作、あるいは状態を検出することができる。
・背面タッチパネル１０５にタッチしていなかった指やペンが新たに背面タッチパネル１０５にタッチしたこと。すなわち、タッチの開始（以下、タッチダウン（Touch-Down）と称する）。
・背面タッチパネル１０５を指やペンでタッチしている状態であること（以下、タッチオン（Touch-On）と称する）。
・背面タッチパネル１０５を指やペンでタッチしたまま移動していること（以下、タッチムーブ（Touch-Move）と称する）。
・背面タッチパネル１０５へタッチしていた指やペンを離したこと。すなわち、タッチの終了（以下、タッチアップ（Touch-Up）と称する）。
・背面タッチパネル１０５に何もタッチしていない状態（以下、タッチオフ（Touch-Off）と称する）。
【００２５】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００２６】
これらの操作・状態や、背面タッチパネル１０５上に指やペンがタッチしている位置座標は不図示の内部バスを通じて制御部２０１に通知される。制御部２０１は通知された情報に基づいて背面タッチパネル１０５上にどのような操作（タッチ操作）が行なわれたかを判定する。タッチムーブについては背面タッチパネル１０５上で移動する指やペンの移動方向についても、位置座標の変化に基づいて、背面タッチパネル１０５上の垂直成分・水平成分毎に判定できる。所定距離以上をタッチムーブしたことが検出された場合はスライド操作が行なわれたと判定するものとする。タッチパネル上に指をタッチしたままある程度の距離だけ素早く動かして、そのまま離すといった操作をフリックと呼ぶ。フリックは、言い換えれば背面タッチパネル１０５上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。背面タッチパネル１０５は、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する近接があったことでタッチがあったと検出する方式や、タッチパネルに対する指やペンの近接があったことでタッチがあったと検出する方式ものがあるが、いずれの方式でもよい。
【００２７】
左手用タッチパネル１１３及び右手用タッチパネル１１４は、上述した背面タッチパネル１０５と同様の操作及び状態を検出することができる。また、左手用タッチパネル１１３及び右手用タッチパネル１１４は、抵抗膜方式や静電容量方式、表面弾性波方式、赤外線方式、電磁誘導方式、画像認識方式、光センサ方式等、様々な方式のタッチパネルのうちいずれの方式のものを用いてもよい。方式によって、タッチパネルに対する接触があったことでタッチがあったと検出する方式や、タッチパネルに対する指やペンの近接があったことでタッチがあったと検出する方式ものがあるが、いずれの方式でもよい。
【００２８】
レリーズ釦１０７は、第１シャッタースイッチ２０９及び第１シャッタースイッチ２１０を含む。第１シャッタースイッチ２０９は、デジタルカメラ１００に設けられたレリーズ釦１０７の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチ２１０は、レリーズ釦１０７の操作完了、いわゆる全押し（撮影指示）でＯＮとなり、第２シャッタースイッチ信号ＳＷ２を発生する。制御部２０１は、第２シャッタースイッチ信号ＳＷ２により、撮像部２０４からの信号読み出しから不揮発性メモリ２０８に画像データを書き込むまでの一連の撮影処理の動作を開始する。
【００２９】
近接検知部１１２は、ファインダー１０３の接眼部に対する目（物体）の近接（接眼）および離反（離眼）を検知する（近接検知）。制御部２０１は、近接検知部１１２で検知された状態に応じて、背面モニタ１０４とファインダー１０３内の表示デバイスの表示（表示状態）／非表示（非表示状態）を切り替える。近接検知部１１２は、例えば赤外線近接センサを用いることができ、ファインダー１０３の接眼部への所定条件を満たす物体の近接を検知することができる。例えば、物体が近接した場合、近接検知部１１２の投光部（図示せず）から投光した赤外線が反射して赤外線近接センサの受光部（図示せず）に受光される。近接検知部１１２は、例えば受光された赤外線の量によって、物体が接眼部からどの距離まで近づいているか（接眼距離）を判定することができる。すなわち、近接検知部１１２は、物体が所定の距離未満まで近接したことを検知することができる。なお、本実施形態の近接検知部１１２は、例えば、非接眼状態（非近接状態）から、ファインダー１０３の接眼部に対して所定の距離未満に近づく物体が検出された場合に、接眼されたことを検出する。一方、近接検知部１１２は、接眼状態（近接状態）から、近接を検知していた物体が所定の距離以上離れた場合に、離眼されたことを検出する。接眼を検出する閾値と、離眼を検出する閾値は例えばヒステリシスを設けるなどして異なっていてもよい。また、接眼を検出した後は、離眼を検出するまでは接眼状態であるものとする。離眼を検出した後は、接眼を検出するまでは非接眼状態であるものとする。なお、赤外線近接センサは一例であって、近接検知部１１２には、接眼とみなせる目や物体の近接を検知できるものであれば他のセンサを採用してもよい。例えば、静電気の変化を検知するセンサや、接触型のセンサで圧力や部品の変位を検知するものを用いてもよい。
【００３０】
制御部２０１は、ＣＰＵ（或いはＧＰＵ）等の１つ以上のプロセッサーを含み、不揮発性メモリ２０８に格納されたプログラムを揮発性メモリ２０７に展開、実行することにより、後述する本実施形態の各処理を実現する。また、制御部２０１は、レリーズ釦１０７等の操作部材からユーザ操作を受け付けると、その操作信号に応じてデジタルカメラ１００の各ブロックを制御する。
【００３１】
揮発性メモリ２０７は、例えばＳＤＲＡＭなどのメモリを含み、制御部２０１の動作用の定数、変数、不揮発性メモリ２０８から読み出されたプログラム等を一時的に記憶する。不揮発性メモリ２０８は、例えば半導体メモリ或いは磁気ディスク等の記録媒体を含み、制御部２０１が実行するプログラムや定数などを記録する。また、撮像部２０４から読み出された画像データを記録してもよい。
【００３２】
絞り駆動回路２０２は、制御部２０１からの指示に応じて絞り２０３を駆動する。絞り２０３は、開口径を調整することにより、絞り２０３を通過して撮像部２０４の撮像素子に入射する光量を調節する。
【００３３】
撮像部２０４は、撮像素子や駆動回路、現像回路等を含む。撮像素子は、光電変換素子を有する画素が複数、２次元的に配列された構成を有する。撮像素子は、撮影レンズ１０２により結像された被写体光学像を各画素で光電変換し、さらにＡ／Ｄ変換回路によってアナログ・デジタル変換して、画素単位のデジタル信号（画像データ）を出力する。撮像素子は、ＣＣＤ（Charge-Coupled Device）イメージセンサやＣＭＯＳ（Complementary Metal Oxide Semiconductor）イメージセンサなどの撮像素子であってよい。
【００３４】
電源スイッチ２０５は、デジタルカメラ１００の電源の駆動状態を切り替える操作部材であり、ユーザによるオン又はオフの操作を検知すると制御部２０１に通知する。各種スイッチ２０６は、上述した操作部材以外の操作部材を含み、例えば、上、下、左、右部分をそれぞれ押し込み可能な十字キー（４方向キー）、選択項目の決定などに用いられるＳＥＴボタンなどを含む。ユーザは、例えば、背面モニタ１０４に表示されたメニューに対してこれらの操作部材を操作する。背面タッチパネル１０５に対する操作に代えて、これらの操作部材により例えば絞り値、シャッター速度、ＩＳＯ感度、露出補正などの撮影条件を設定或いは変更できてもよい。また、各種スイッチ２０６は、動画撮影モードにおいて動画撮影（記録）の開始、停止の指示に用いられる録画ボタンなどを含む。更に、選択枠の移動や画像送りなどを行うことができる回転操作部材の電子ダイヤルを含んでよい。
【００３５】
（入力操作制御処理に係る一連の動作）
次に、図３を参照して、入力操作制御処理に係る一連の動作を説明する。なお、本実施形態の入力操作制御処理は、デジタルカメラ１００の前面に配置される操作部材（すなわち左手用タッチパネル１１３及び右手用タッチパネル１１４）に対する入力操作の有効無効を物体の近接検知に応じて制御する。また、本処理は、制御部２０１が不揮発性メモリ２０８に格納されたプログラムを揮発性メモリ２０７の作業用領域に展開、実行すると共に、背面タッチパネル１０５等の各部を制御することにより実現される。
【００３６】
図３に示す処理は、電源スイッチ２０５がオンされたときに開始される。以下の例は、起動直後には、左手用タッチパネル１１３及び右手用タッチパネル１１４に対する操作を無効とする設定（前面操作禁止設定ともいう）がなされている場合を例に説明する。しかし、この設定はデジタルカメラの特性や以前の使用状態を反映するなど、適宜他の設定を用いてもよい。
【００３７】
Ｓ３０１では、制御部２０１は前面操作禁止設定を適用する。例えば、制御部２０１は、例えば不揮発性メモリ２０８に記憶された設定情報を読み出して、前面操作禁止設定が適用を適用する。前面操作禁止設定を適用すると、制御部２０１は、左手用タッチパネル１１３及び右手用タッチパネル１１４への操作を禁止（無効化）して、ユーザがこれらにタッチ操作を行った場合でもその操作を受け付けない。なお、以下の例では、デジタルカメラ１００の前面に配置される、左手用タッチパネル１１３及び右手用タッチパネル１１４以外の、絞り込み釦１０９等の操作部材に対する操作は有効にする。これに対し、前面にある釦等の部材に対しても同様に前面操作禁止設定を適用するか否かを、別途設定メニューで選択できるようにしてもよい。また、絞り込み釦１０９のみ有効にしたり、左手用及び右手用のタッチパネルのうち一方だけを有効にするなど、ユーザが個別の設定を変更できるようにしてもよい。もちろん、これらの設定のいずれかがメーカー出荷時に設定されていてもよい。
【００３８】
Ｓ３０２では、制御部２０１はファインダー１０３の接眼部に対する近接検知を行う。制御部２０１は、例えば近接検知部１１２からの出力信号に基づいて、ファインダー１０３の接眼部に対する物体の近接状態を読み取る。Ｓ３０３では、制御部２０１は、物体の近接があったかを判定する。制御部２０１は、近接検知部１１２からの出力信号が物体の近接を検知したことを示す場合に近接を検知したと判定してＳ３０４へ進む。一方、近接検知部１１２からの出力信号が物体の近接を検知しなかったことを示す場合には、近接を検知しなかったと判定してＳ３０５へ進む。すなわち、ユーザがファインダー１０３を覗き込んだと想定される場合にはＳ３０４の処理に進み、ユーザがファインダー１０３を覗き込んでおらずデジタルカメラ１００がＬＶモードで使用されていると想定される場合にはＳ３０５の処理に進む。
【００３９】
Ｓ３０４では、制御部２０１は、前面操作許可設定を適用する。すなわち、制御部２０１は、左手用タッチパネル１１３及び右手用タッチパネル１１４に対する操作を有効とする設定（前面操作許可設定）を適用する。
【００４０】
Ｓ３０５では、制御部２０１は、前面操作禁止設定を適用する。すなわち、制御部２０１は、左手用タッチパネル１１３及び右手用タッチパネル１１４に対する操作を無効とする設定を適用する。既にＳ３０１により前面操作禁止設定が適用されたままであれば、前面操作禁止設定が維持される。一度Ｓ３０４において前面操作許可設定が適用されている場合には新たに前面操作禁止設定が適用される。
【００４１】
Ｓ３０６では、制御部２０１は、設定に応じて、ユーザ操作に対するカメラ動作を行う。カメラ動作は、操作系に関わる動作以外の特定の処理、例えば、オートフォーカスや、測光、撮影、記録、再生などに関する処理を含む。具体的に、制御部２０１は、近接を検知している（すなわち接眼している）ときに、左手用タッチパネル１１３或いは右手用タッチパネル１１４に対するタッチ操作があった場合、ＡＦ位置の変更や撮影条件の設定の変更を実行する。
【００４２】
制御部２０１は、例えばタッチパネル１１４に対するタッチムーブを受け付けて、当該タッチムーブに応じた位置にＡＦ位置を移動させ、ファインダー１０３内に変更されたＡＦ位置を表示させる。また、制御部２０１は、例えばタッチパネル１１４に対するタッチムーブを受け付けて、シャッター速度、絞り、ＩＳＯ感度、露出補正などの撮影条件の設定をタッチムーブに応じて変更する。例えば、制御部２０１は、タッチパネル１１４に対する上方向へのタッチムーブ１回に対して絞りを１／２段分増やす。反対に、下方向へのタッチムーブ１回に対して絞りを１／２段分減らす。もちろん、タッチムーブの距離が長いほど設定値を多く変更するなど、他の設定値の変更方法を適用してもよい。また、タッチ操作によってどの設定項目を設定することができるかを、所定の設定メニューを用いて予め設定できるようにしてもよい。また、タッチの操作方法に応じて、設定可能な項目を使い分けることができるようにしてもよい。
【００４３】
一方、制御部２０１は、近接を検知していない（すなわち接眼していない）ときに、左手用タッチパネル１１３或いは右手用タッチパネル１１４に対するタッチ操作があった場合、上述のＡＦ位置の変更や撮影条件の設定の変更を実行しない。
【００４４】
なお、制御部２０１は、背面側の操作部材（例えば背面タッチパネル１０５）に対する操作があった場合には、近接の有無に関わらず、タッチ操作に応じた処理（ＡＦ位置の変更、シャッター速度、絞り、ＩＳＯ感度、露出補正等の撮影設定の変更など）を行う。また、制御部２０１は、他の面にある特定の操作部材に対する処理、例えばシャッターボタンの半押しに対するＡＦ動作の実行やシャッターボタンの全押しに対する撮影（静止画ファイル記録または動画ファイル記録開始）を、近接の有無とは無関係に行う。更に、制御部２０１は、撮影モードとは異なる動作モード、すなわちユーザが静止画や動画を再生する再生モードでユーザが操作する場合、表示状態や近接の有無に関わらず、対応する操作を行ってよい。制御部２０１は、カメラ動作が終了すると次のステップへ進む。
【００４５】
Ｓ３０７では、制御部２０１は、ユーザにより電源スイッチ２０５がオフされたかを判定する。例えば、制御部２０１は、電源スイッチ２０５のオン／オフ状態を判定し、電源スイッチがオンのままであれば再びＳ３０２に戻る。一方、電源スイッチ２０５がオフである場合、電源を落として本処理に係る一連の動作を終了する。
【００４６】
以上説明したように本実施形態では、近接検知部１１２によって近接を検知し、ファインダー１０３の表示面側とは異なる面に配置された前面タッチパネル（１１３及び／又は１１４）に対する操作の有効無効を制御するようにした。すなわち、制御部２０１は、ファインダー１０３への接眼が検知されていないときに前面タッチパネルへの操作が行われても、当該操作に対する特定の処理（撮影条件の設定変更等）を行わないようにした。一方、ファインダー１０３への接眼が検知されているときに前面タッチパネルへの操作が行われたことに応じて、当該操作に対する特定の処理を行うようにした。このようにすることで、前面タッチパネルに触れるような持ち方をしてもタッチパネルに対する誤動作を低減することができ、撮影時等の必要なときは効率的な操作が可能になる。換言すれば、表示部材の表示面とは異なる面に配置されたタッチ操作部材に対し、当該タッチ操作部材に対する誤操作を低減することが可能になる。
【００４７】
（実施形態２）
次に実施形態２について説明する。上述した実施形態１では、入力操作制御処理において左手用タッチパネル１１３或いは右手用タッチパネル１１４に対するタッチ操作のみを制御した。これに対し、本実施形態の入力操作制御処理では、これらのタッチパネルに対する操作に加えて、背面タッチパネルに対する操作についても制御を行う。なお、本実施形態と実施形態１とでは、入力操作制御処理の一部が異なるが、その他のデジタルカメラの構成は同一である。このため、同一の構成については同一の符号を付して重複する説明は省略し、相違点について重点的に説明する。
【００４８】
（入力操作制限処理に係る一連の動作）
図４を参照して、本実施形態の入力操作制御処理に係る一連の動作を説明する。なお、本実施形態の入力操作制御処理は、デジタルカメラ１００の複数の面に配置される操作部材（すなわち背面タッチパネル１０５、左手用タッチパネル１１３及び右手用タッチパネル１１４）に対する入力操作の有効無効を物体の近接検知に応じて制御する。また、本処理は、制御部２０１が不揮発性メモリ２０８に格納されたプログラムを揮発性メモリ２０７の作業用領域に展開、実行すると共に、背面タッチパネル１０５等の各部を制御することにより実現される。
【００４９】
また、本実施形態の入力操作制御処理も、電源スイッチ２０５がオンされたときに開始される。起動直後には、上述の前面操作禁止設定と背面タッチパネル１０５に対する操作を有効とする設定（背面操作許可設定ともいう）とがなされている場合を例に説明する。しかし、この設定はデジタルカメラの特性や以前の使用状態を反映するなど、適宜他の設定を用いてもよい。
【００５０】
Ｓ３０１では、制御部２０１は、上述の実施形態と同様に、前面操作禁止設定を適用する。そして、Ｓ４０１では、背面タッチパネルに対する操作を有効にする背面操作許可設定を適用する。例えば、制御部２０１は、例えば不揮発性メモリ２０８に記憶された設定情報を読み出して、前面操作禁止かつ背面操作許可設定を適用する。すなわち、制御部２０１は、ユーザが左手用タッチパネル１１３及び右手用タッチパネル１１４への操作を受け付けないが、背面タッチパネル１０５に対する操作を受け付ける。また、デジタルカメラの構成等によっては、各種スイッチ２０６のうち、背面の他の操作部材を操作可能に設定してもよい。そして、制御部２０１は、Ｓ３０２〜Ｓ３０５の処理を上述の実施形態と同様に実行する。
【００５１】
Ｓ４０２では、制御部２０１は、背面タッチパネルに対する操作を無効とする設定（背面操作禁止設定）を適用する。すなわち、Ｓ３０４及びＳ４０２の処理により、デジタルカメラ１００の前面にあるタッチパネルに対する操作は有効になり、背面にあるタッチパネルに対する操作は無効になる。つまり、接眼した状態で操作の容易な前面にあるタッチパネルをユーザが操作可能であるとともに、接眼しているユーザの鼻や顔の一部が背面タッチパネル１０５に触れて誤動作が生じることを防止することができる。なお、制御部２０１は、用途に応じて背面に配置された操作部材に対する操作を禁止してもよい。
【００５２】
Ｓ４０３では、制御部２０１は、背面操作許可設定を適用する。すなわち、ユーザの接眼が検知されていない場合には、背面タッチパネル１０５に対する操作を有効にする。また、制御部２０１は、上述の実施形態と同様に、Ｓ３０５において前面操作禁止設定を適用する。
【００５３】
制御部２０１は、Ｓ３０６〜Ｓ３０７を上述の実施形態と同様に実施する。Ｓ３０７において、制御部２０１は、電源スイッチ２０５のオン／オフ状態を判定し、電源スイッチがオフであれば本一連の動作を終了する。
【００５４】
以上説明したように本実施形態では、近接検知部１１２によって近接を検知した場合には、背面タッチパネル１０５に対する操作を無効にするようにした。このようにすることで、接眼時における顔や鼻による誤操作を防止することができる。
【００５５】
（実施形態３）
次に実施形態３について説明する。実施形態３に係るデジタルカメラ５００は、背面にライブビューレバー（ＬＶレバーともいう）５０１を有し、このレバーの設定に応じてタッチパネルに対する操作を制御する点が上述の実施形態と異なる。デジタルカメラ５００のその他の構成は上述した実施形態と同一である。このため、同一の構成については同一の符号を付して重複する説明は省略し、相違点について重点的に説明する。
【００５６】
図５は、本実施形態に係るデジタルカメラ５００の背面外観図を示している。デジタルカメラ５００は、背面モニタ１０４にライブビュー表示を行うか否かを切り替えるＬＶレバー５０１を備える。ＬＶレバー５０１は、レバーの向きが縦位置の時は、「ファインダー撮影」を意味して背面モニタ１０４を非表示状態にさせ、ＬＶレバー５０１が左に９０°倒れているときは、「ＬＶ撮影」を意味して背面モニタ１０４を表示状態にさせる。図６に示すように、ＬＶレバー５０１は制御部２０１と接続されており、ライブビュー表示に対するユーザの指示を受け付けて（受付手段）、制御部２０１がこの状態を取得する。
【００５７】
（入力操作制御処理に係る一連の動作）
次に、図７を参照して本実施形態の入力操作制御処理に係る一連の動作について説明する。なお、本実施形態の入力操作制御処理は、デジタルカメラ１００の複数の面に配置される操作部材（背面タッチパネル１０５、左手用タッチパネル１１３及び右手用タッチパネル１１４）に対する入力操作の有効無効をＬＶレバー５０１の設定に応じて制御する。また、本処理は、制御部２０１が不揮発性メモリ２０８に格納されたプログラムを揮発性メモリ２０７の作業用領域に展開、実行すると共に、背面タッチパネル１０５等の各部を制御することにより実現される。
【００５８】
また、本実施形態の入力操作制御処理も、電源スイッチ２０５がオンされたときに開始される。起動直後には、上述の前面操作禁止設定と背面操作許可設定とがなされている場合を例に説明する。しかし、この設定はデジタルカメラの特性や以前の使用状態を反映するなど、適宜他の設定を用いてもよい。
【００５９】
制御部２０１は、実施形態２と同様にＳ３０１及びＳ４０１の処理を実行する。そして、Ｓ７０１では、制御部２０１はＬＶレバー５０１からの信号を受信してＬＶレバー５０１の状態を読み取る。
【００６０】
Ｓ７０２では、制御部２０１は、ＬＶレバー５０１の信号に基づいてＬＶレバーの設定がＬＶ撮影を示すように設定されているかを判定する。制御部２０１は、ＬＶレバー５０１の設定がＬＶ撮影を示していると判定した場合はＳ４０３へ進み、ＬＶ撮影を示していないと判定した場合はＳ３０４へ進む。すなわち、制御部２０１は、デジタルカメラ５００がＬＶ撮影を行わない（背面モニタ１０４を非表示状態にする）ように設定されている場合、ユーザがファインダー１０３を覗いて撮影することを想定した制御を行う。具体的には、以降のＳ３０４、Ｓ４０２、Ｓ３０６の処理では、左手用タッチパネル１１３及び右手用タッチパネル１１４に対する操作を有効にして、背面タッチパネル１０５に対する操作を無効にする。一方、制御部２０１は、デジタルカメラ５００がＬＶ撮影を行う（背面モニタ１０４を表示状態にする）ように設定されている場合、ユーザが背面モニタ１０４を見ながら撮影を行うことが想定した制御を行う。具体的に、以降のＳ４０３、Ｓ３０５、Ｓ３０６の処理では、左手用タッチパネル１１３及び右手用タッチパネル１１４に対する操作を無効にして、背面タッチパネル１０５に対する操作を有効にする。
【００６１】
Ｓ３０７では、制御部２０１は、上述の実施形態と同様に、電源スイッチ２０５のオン／オフ状態を判定し、電源スイッチがオフであれば本一連の動作を終了する。
【００６２】
以上説明したように本実施形態では、ＬＶレバー５０１によるＬＶ撮影の設定に応じて、前面に配置されたタッチパネルに対する操作と背面タッチパネル１０５に対する操作との有効無効を制御するようにした。これにより、前面タッチパネルに触れるような持ち方をしたＬＶ撮影においてもタッチパネルに対する誤動作を低減することができる。換言すれば、表示部材の表示面とは異なる面に配置されたタッチ操作部材に対し、当該タッチ操作部材に対する誤操作を低減することが可能になる。また、ファインダーを覗き込んで撮影する際に顔や鼻による誤操作を低減することができる。
【００６３】
（実施形態４）
更に、実施形態４について説明する。実施形態４は、本実施形態に係る交換式の撮影レンズ８０１を装着可能なデジタルカメラにおいて、当該レンズの所定部材への接触に応じてタッチパネルに対する操作の有効無効を制御する点が上記実施形態と異なる。このため、同一の構成については同一の符号を付して重複する説明は省略し、相違点について重点的に説明する。
【００６４】
図８（ａ）は本実施形態に係るデジタルカメラ８００の外観図を、図８（ｂ）はユーザがデジタルカメラ８００を用いて撮影を行う様子をそれぞれ示している。８０１は脱着可能な撮影レンズであり、操作部材を備えている。撮影レンズ８０１は、ユーザの手の接触を検知する接触検知部８０２、レンズ側面に配置されたレンズタッチパネル８０３、レンズスイッチ８０４を有している。
【００６５】
接触検知部８０２は、例えば赤外線近接センサを用いることができ、ユーザが撮影レンズ８０１を手で保持する際の手の近接或いは接触を検知することができる。物体（ユーザの手）が接触した場合は、接触検知部８０２の投光部（図示せず）から投光した赤外線が反射して赤外線近接センサの受光部（図示せず）に受光される。接触検知部８０２は、例えば受光された赤外線の量によって、物体が撮影レンズ８０１からどの距離まで近づいているか（接触距離）も判別することができる。なお、本実施形態の接触検知部８０２は、非接触状態から、撮影レンズ８０１に対して所定距離以内に近づいた（或いは接触した）物体が検出された場合に、接触されたことを検出するものとする。また、接触検知部８０２は、接触状態から、接触を検知していた物体が所定距離以上離れた場合に、非接触状態になったものとする。これらの閾値は例えばヒステリシスを設けるなどして異なっていてもよい。なお、赤外線近接センサは一例であって、接触検知部８０２には、手などの物体の近接或いは接触を検知できるものであれば他のセンサを採用してもよい。例えば、静電気の変化を検知するセンサや、圧力や部品の変位を検知するものを用いてもよい。
【００６６】
レンズタッチパネル８０３は、上述した背面タッチパネル１０５、左手用タッチパネル１１３及び右手用タッチパネル１１４と同様の操作と状態を検出することができる。また、レンズタッチパネル８０３は、抵抗膜方式や静電容量方式、表面弾性波方式、赤外線方式、電磁誘導方式、画像認識方式、光センサ方式等、様々な方式のタッチパネルのうちいずれの方式のものを用いてもよい。レンズスイッチ８０４は、例えばフォーカスモードをＭＦ／ＡＦのいずれかに切り替えるためのスイッチを含む。
【００６７】
図８（ｂ）に示すように、ユーザは、本実施形態に係るデジタルカメラ８００のファインダー１０３を覗いて撮影する際に、左手で撮影レンズ８０１を保持している。この状態では、接触検知部８０２が手による接触を検知する。更に、レンズタッチパネル８０３はユーザが撮影レンズ８０１を保持した状態で指が届く位置に配置されている。このため、撮影レンズ８０１を保持しながらレンズタッチパネル８０３を操作可能である。レンズスイッチ８０４の設定に対する有効無効は、接触検知部８０２の検知状態に連動させても良いし、常時有効にしてもよい。
【００６８】
（入力操作制御処理に係る一連の動作）
次に、図９を参照して、本実施形態の入力操作制御処理に係る一連の動作について説明する。なお、本実施形態の入力操作制御処理は、背面タッチパネル１０５と、背面とは異なる面に配置された操作部材（撮影レンズ８０１）に対する入力操作の有効無効を接触検知部８０２の検知結果に応じて制御する。また、本処理は、制御部２０１が不揮発性メモリ２０８に格納されたプログラムを揮発性メモリ２０７の作業用領域に展開、実行すると共に、背面タッチパネル１０５等の各部を制御することにより実現される。
【００６９】
また、本実施形態の入力操作制御処理も、電源スイッチ２０５がオンされたときに開始される。起動直後には、上述の前面操作禁止設定と背面操作許可設定とがなされている場合を例に説明する。なお、本実施形態における前面操作禁止設定は、上述の実施形態における左手用タッチパネル１１３及び右手用タッチパネル１１４の代わりに、レンズタッチパネル８０３に対する操作を無効とする設定であるものとする。また、本実施形態における前面操作許可設定も同様に、左手用タッチパネル１１３及び右手用タッチパネル１１４の代わりに、レンズタッチパネル８０３に対する操作を有効とする設定であるものとする。
【００７０】
制御部２０１は、実施形態２と同様にＳ３０１及びＳ４０１の処理を実行する。そして、Ｓ９０１では、制御部２０１は撮影レンズ８０１に対する手の接触検知を行う。制御部２０１は、例えば接触検知部８０２からの出力信号に基づいて、撮影レンズ８０１に対する物体の接触状態を読み取る。Ｓ９０２では、制御部２０１は、物体の接触があったかを判定する。制御部２０１は、接触検知部８０２からの出力信号が物体の接触を検知したことを示す場合に接触を検知したと判定してＳ３０４へ進む。一方、接触検知部８０２からの出力信号が物体の接触を検知しなかったことを示す場合には、接触を検知しなかったと判定してＳ４０３へ進む。すなわち、ユーザが撮影レンズ８０１を保持してレンズタッチパネル８０３を操作可能と想定される場合にはＳ３０４の処理に進み、ユーザが撮影レンズ８０１を保持していないと想定される場合にはＳ４０３の処理に進む。制御部２０１は、その後実施形態２と同様にＳ４０２、Ｓ３０５、Ｓ３０６の処理を行い、Ｓ３０７において電源がオフされたと判定した場合に本一連の処理を終了する。
【００７１】
なお、本実施形態では、接触検知部８０２、レンズタッチパネル８０３を備える脱着可能な交換レンズを例に説明した。しかし、本実施形態は、保持する際の接触を検知し、保持した状態で操作可能な操作部材を備えるものであれば、ストロボやワイヤレスアダプタ、延長用のグリップ部などの脱着可能な部材にも適用できる。
【００７２】
また、本実施形態では、接触検知部８０２の検知結果を用いる例を説明したが、代わりに近接検知部１１２の検知結果と接触検知部８０２の検知結果との論理積ＡＮＤを用いてもよい。或いは、近接検知部１１２の検知結果と接触検知部８０２の検知結果との論理和ＯＲを用いてもよい。
【００７３】
以上説明したように本実施形態では、撮影レンズ８０１の接触検知部８０２の検知結果に応じて、当該レンズに配置されたタッチパネルに対する操作と背面タッチパネル１０５に対する操作との有効無効を制御するようにした。これにより、撮影レンズ８０１を保持すること無く単にレンズタッチパネルに触れる際にタッチパネルに対する誤操作を低減することができる。
【００７４】
（その他の実施形態）
なお、制御部２０１が行うものとして説明した上述の各種制御は、１つのハードウェアが行ってもよいし、複数のハードウェアが処理を分担することで、機器全体の制御を行ってもよい。
【００７５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７６】
また、上述した実施形態においては、本発明をデジタルカメラに適用した場合を例にして説明したが、これはこの例に限定されず、表示部材の表示面とは異なる面に配置されたタッチ操作部材を用いることが可能な電子機器にも適用可能である。すなわち、本発明はパーソナルコンピュータやＰＤＡ、携帯電話端末や携帯型の画像ビューワ、ゲーム機、電子ブックリーダー、タブレット端末、スマートフォン、医療機器、ディスプレイを備える家電装置や車載装置などに適用可能である。
【００７７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７８】
１０４…背面モニタ、１０５…背面タッチパネル、１１３…左手用タッチパネル、１１４…右手用タッチパネル、１１２…近接検知部、２０１…制御部
【図１】
2019016299.tif 000003
【図２】
2019016299.tif 000004
【図３】
2019016299.tif 000005
【図４】
2019016299.tif 000006
【図５】
2019016299.tif 000007
【図６】
2019016299.tif 000008
【図７】
2019016299.tif 000009
【図８】
2019016299.tif 000010
【図９】
2019016299.tif 000011
【図１０】
2019016299.tif 000012
【図１１Ａ】
2019016299.tif 000013
【図１１Ｂ】
2019016299.tif 000014
【図１１Ｃ】
2019016299.tif 000015